【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
光重合可能な歯科材料を硬化するためのケーブルレスの光重合器（２，５２）用の充電ステーション（７１）であって、
前記光重合器（２，５２）には、電流用の蓄積器（６）が含まれており、
前記充電ステーション（７１）には、少なくとも１つの導電性の充電コンタクト（５８）が含まれており、
前記光重合器（２，５２）が前記充電ステーション（７１）に接続されると、前記充電コンタクト（５８）を介して、前記光重合器（２，５２）の導電性の対向充電コンタクト（８，５３）との導電接続が実現されて前記蓄積器（６）が充電される、充電ステーション（７１）において、
導電性の前記充電コンタクト（５８）は、前記充電ステーション（７１）に取り外し可能に固定可能であるアタッチメント（５４）の一部分であり、
当該アタッチメント（５４）が前記充電ステーション（７１）に固定されている場合、前記アタッチメント（５４）の導電性の前記充電コンタクト（５８）が、前記充電ステーション（７１）の少なくとも１つの導電性の第２の充電コンタクト（６８）に導電的に接続される、
ことを特徴とする充電ステーション（７１）。
【請求項２】
請求項１に記載の充電ステーション（７１）において、
前記導電接続は、コネクタ接続である、
ことを特徴とする充電ステーション（７１）。
【請求項３】
請求項１または２に記載の充電ステーション（７１）において、
前記アタッチメント（５４）には固定部材（９０）が含まれており、
該固定部材（９０）により、前記アタッチメントは前記充電ステーション（７１）に固定可能であり、
前記固定部材（９０）は、少なくとも１つのねじ（９０）であり、当該ねじ（９０）によって前記アタッチメント（５４）が前記充電ステーション（７１）にねじ留め可能である、
ことを特徴とする充電ステーション（７１）。
【請求項４】
請求項３に記載の充電ステーション（７１）において、
前記固定部材は、前記充電ステーション（７１）の対向ねじ山に咬合するねじ山である、
ことを特徴とする充電ステーション（７１）。
【請求項５】
請求項１から４までのいずれか１項に記載の充電ステーション（７１）において
前記アタッチメント（５４）は、前記充電ステーション（７１）にロック可能であり、および／または、
前記アタッチメント（５４）は、前記充電ステーション（７１）と共にバヨネット式接続を構成する、
ことを特徴とする充電ステーション（７１）。
【請求項６】
請求項１から５までのいずれか１項に記載の充電ステーション（７１）において、
少なくとも１つの充電コンタクト（５８，６８）には、少なくとも所定の領域にコーティングが含まれており、および/または
前記アタッチメントは、前記充電コンタクト（５８）を含むＵＳＢインタフェースまたは２つの充電コンタクトピン（５６）を有する、
ことを特徴とする充電ステーション（７１）。
【請求項７】
請求項６に記載の充電ステーション（７１）において、
前記少なくとも１つの充電コンタクト（５８，６８）は、前記アタッチメント（５４）の導電性の前記充電コンタクト（５８）である、
ことを特徴とする充電ステーション（７１）。
【請求項８】
請求項５から７までのいずれか１項に記載の充電ステーション（７１）において、
前記コーティングは、貴金属コーティングである、
ことを特徴とする充電ステーション（７１）。
【請求項９】
請求項１から８までのいずれか１項に記載の充電ステーション（７１）において、
前記蓄積器（６）は、蓄電池（６）またはコンデンサである、
ことを特徴とする充電ステーション（７１）。
【請求項１０】
光重合可能な歯科材料を硬化するためのケーブルレスの光重合器（２，５２）であって、
前記光重合器（２，５２）には、電流用の蓄積器（６）が含まれており、
前記光重合器（２，５２）には、少なくとも１つの導電性の充電コンタクト（８，１８，５３）が含まれており、
前記光重合器（２，５２）が前記充電ステーション（７１）に接続されると、前記充電コンタクト（８，１８，５３）を介して、前記光重合器（２，５２）用の充電ステーション（７１）の導電性の対向充電コンタクト（５８，６８）との導電接続を形成することができ、これによって前記蓄積器（６）が充電される、光重合器（２，５２）において、
導電性の前記充電コンタクト（８，１８，５３）は、前記光重合器（２，５２）に取り外し可能に固定可能であるアタッチメント（４）の一部分であり、
当該アタッチメント（４）が前記光重合器（２，５２）に固定されている場合、前記アタッチメント（４，５４）の導電性の前記充電コンタクト（８，１８，５３）が、前記光重合器（２，５２）の少なくとも１つの導電性の第２の充電コンタクト（８，１８，５３）に導電的に接続される、
ことを特徴とする光重合器（２，５２）。
【請求項１１】
請求項１０に記載の光重合器（２，５２）において、
前記導電接続は、コネクタ接続である、
ことを特徴とする光重合器（２，５２）。
【請求項１２】
請求項１０または１１に記載の光重合器（２，５２）において、
前記アタッチメント（４）には固定部材（９０）が含まれており、
該固定部材（９０）により、前記アタッチメント（４）は前記光重合器（２，５２）に固定可能であり、
前記固定部材（９０）は、少なくとも１つのねじ（９０）であり、当該ねじ（９０）によって前記アタッチメント（４）が前記光重合器（２，５２）にねじ留め可能である、
ことを特徴とする光重合器（２，５２）。
【請求項１３】
請求項１２に記載の光重合器（２，５２）において、
前記固定部材は、前記光重合器（２，５２）の対向ねじ山に咬合するねじ山である、
ことを特徴とする光重合器（２，５２）。
【請求項１４】
請求項１０から１３までのいずれか１項に記載の光重合器（２，５２）において、
前記アタッチメント（４）は、前記光重合器（２，５２）にロック可能であり、および／または、
前記アタッチメント（４）は、前記光重合器（２，５２）と共にバヨネット式接続を構成する、
ことを特徴とする光重合器（２，５２）。
【請求項１５】
請求項１０から１４までのいずれか１項に記載の光重合器（２，５２）において、
当該光重合器（２，５２）には、光重合可能なプラスチックを硬化させるための光源（１６）が含まれており、
前記光源（１６）は、所定範囲の波長を有する光を放射する
ことを特徴とする光重合器（２，５２）。
【請求項１６】
請求項１５に記載の光重合器（２，５２）において、
前記光源（１６）は、ＬＥＤ（１６）である、
ことを特徴とする光重合器（２，５２）。
【請求項１７】
請求項１５または１６に記載の光重合器（２，５２）において、
前記光源（１６）は、３８０ｎｍないし５００ｎｍの波長を有する光を放射する、
ことを特徴とする光重合器（２，５２）。
【請求項１８】
請求項１５から１７までのいずれか１項に記載の光重合器（２，５２）において、
前記光源（１６）は少なくとも２つの波長ピークを含む光を放射する、
ことを特徴とする光重合器（２，５２）。
【請求項１９】
請求項１８に記載の光重合器（２，５２）において、
前記光源（１６）は少なくとも２つのピークを４００ｎｍと４０５ｎｍとの間および４５５ｎｍと４６０ｎｍとの間に含む光を放射する、
ことを特徴とする光重合器（２，５２）。
【請求項２０】
請求項１０から１９までのいずれか１項に記載の光重合器（２，５２）において、
当該光重合器（２，５２）には、前記電流蓄積器（６）の充電を調整または制御する充電制御電子回路（１２）が含まれている、
ことを特徴とする光重合器（２，５２）。
【請求項２１】
請求項１０から２０までのいずれか１項に記載の光重合器（２，５２）において、
少なくとも１つの充電コンタクト（８，１８，５３）には、少なくとも所定の領域にコーティングが含まれており、および／または、
前記アタッチメント（４）には、前記充電コンタクト（８，１８，５３）を含むＵＳＢインタフェースまたは２つの充電コンタクトピン（５６）が含まれている、
ことを特徴とする光重合器（２，５２）。
【請求項２２】
請求項２１に記載の光重合器（２，５２）において、
前記少なくとも１つの充電コンタクト（８，１８，５３）は、前記アタッチメント（４）の導電性の前記充電コンタクト（８，１８，５３）である、
ことを特徴とする光重合器（２，５２）。
【請求項２３】
請求項２０から２２までのいずれか１項に記載の光重合器（２，５２）において、
前記コーティングは、貴金属コーティングである、
ことを特徴とする光重合器（２，５２）。
【請求項２４】
請求項１０から２３までのいずれか１項に記載の光重合器（２，５２）において、
前記蓄積器（６）は、蓄電池（６）またはコンデンサである、
ことを特徴とする光重合器（２，５２）。
【請求項２５】
ケーブルレスの光重合器（２，５２）と充電ステーション（１，７１）とを接続するためのアタッチメント（４，５４）において、
当該アタッチメント（４，５４）は、請求項１から９までのいずれか１項に記載の充電ステーション（７１）に、および／または、請求項１０から２４までのいずれか１項に記載の光重合器（２，５２）に固定するように構成されている、
ことを特徴とするアタッチメント（４，５４）。
【請求項２６】
請求項１から９までのいずれか１項に記載の充電ステーション（７１）と、請求項１０から２４までのいずれか１項に記載の光重合器（２，５２）とを含む光重合装置であって、
前記光重合器（２，５２）には少なくとも１つの電流用の蓄積器（６）が含まれており、
前記光重合器（２，５２）には、充電コンタクト（８，１８，５３）を有する少なくとも１つのアタッチメント（４，５４）が含まれており、
前記アタッチメント（５４）は、前記充電ステーション（７１）に固定可能であり、および／または、前記１つまたは複数のアタッチメント（４）は前記光重合器（２，５２）に固定可能であり、
前記１つまたは複数のアタッチメント（４，５４）により、電流用の前記蓄積器（６）を充電することの可能な少なくとも１つの導電性接続部（１８，２０，５８）が提供される、
ことを特徴とする光重合装置。
【請求項２７】
請求項２６に記載の光重合装置において、
前記蓄積器（６）は、蓄電池（６）である、
ことを特徴とする光重合装置。
【請求項２８】
請求項２６または２７に記載の光重合装置において、
前記光重合器（２，５２）はハンドヘルド可能な光重合器（２，５２）である、
ことを特徴とする光重合装置。